(57)【要約】      （修正有）【課題】起居動作時の荷重が被介護者の腰に集中することを確実に回避すると共に、本人と介護者の双方の負担を軽減可能な介護用ベルトを提供する。【解決手段】被介護者の下腹囲に着脱可能に巻回され、左右の側腹部に持ち上げ用の取っ手１ｃを一対設けた腰ベルト１と、前記被介護者の膝上囲に着脱可能に巻回する一対の脚ベルト２・３とを備え、腰ベルト１と該一対の脚ベルト２・３のそれぞれを腰ベルト１の取っ手１ｃによる持ち上げ位置に設けた一対の非伸縮性の垂れバンド４によって連結した。また、垂れバンド４は、その上部を取っ手１ｃに挿通させて腰ベルト１に取り付ける。【選択図】図１
0003216763.tif 000002
【実用新案登録請求の範囲】
【請求項１】
被介護者の下腹囲に着脱可能に巻回され、左右の側腹部に持ち上げ用の取っ手を一対設けた腰ベルトと、前記被介護者の膝上囲に着脱可能に巻回する一対の脚ベルトとを備え、前記腰ベルトと該一対の脚ベルトのそれぞれを前記腰ベルトの前記取っ手による持ち上げ位置に設けた一対の非伸縮性の垂れバンドによって連結したことを特徴とする介護用ベルト。
【請求項２】
垂れバンドは、その上部を取っ手に挿通させた状態で腰ベルトに取り付けた請求項１記載の介護用ベルト。
【請求項３】
垂れバンドは、腰ベルトに対して垂れ長を調整自在に取り付けられる請求項１または２記載の介護用ベルト。
【請求項４】
腰ベルト及び脚ベルトは、両端部に面ファスナーを有して、巻回長を調整自在とした請求項１、２または３記載の介護用ベルト。
【請求項５】
取っ手は、左右の側腹部の中の背中寄りに設けた請求項１から４のうち何れか一項記載の介護用ベルト。
【請求項６】
腰ベルト、脚ベルト、及び垂れバンドは速乾性素材からなる請求項１から５のうち何れか一項記載の介護用ベルト。
【考案の詳細な説明】
【技術分野】
【０００１】
この考案は、被介護者の起居動作を補助する介護用ベルトに関するものである。
【背景技術】
【０００２】
立ったり座ったりする際に他人の支援が必要な者（本願において「被介護者」という。）の起居動作を補助する介護用ベルトとしては、腰ベルトに取っ手を設けたものがあるが、腰ベルトが上に引っ張られてずれやすいという問題がある。そこで、ベルト型を改め、パンツ型としたものもあるが、そもそも被介護者に装着する（履かせる）ことが難しい。
【０００３】
そこで、腰ベルトを本体として、これに脚ベルトを設けた介護用ベルトが提案されている（特許文献１）。しかし、今度は脚ベルトが股間に食い込むという問題がある。
【０００４】
これに対して、特許文献２の介護用ベルトは、腰・臀部平布に３本の保持体を介して大腿部平布を設けてなり、腰・臀部平布を持ち上げたときに大腿部平布でそのズレを止めつつ、紐等が股間に食い込むことをなくしている。
【先行技術文献】
【特許文献】
【０００５】
【特許文献１】特開２００２−２８１９６号公報
【特許文献２】実用新案登録第３１４７４３１号公報
【考案の概要】
【考案が解決しようとする課題】
【０００６】
しかしながら、特許文献２の介護用ベルトは、腰・臀部平布を持ち上げる部分の直下に保持体が位置しないため、腰・臀部平布に係る荷重を大腿部平布に有効に伝達することができない。したがって、特許文献２の介護用ベルトでは、ほぼ腰・臀部平布のみによって被介護者を支持することになるため、本人もさることながら、介護者に対する負担も大きい。
【０００７】
本考案は上述した課題を解決するためになされたもので、その目的とするところは、起居動作時の荷重が被介護者の腰に集中することを確実に回避すると共に、本人と介護者の双方の負担を軽減可能な介護用ベルトを提供することにある。
【課題を解決するための手段】
【０００８】
上述した目的を達成するために本考案では、被介護者の下腹囲に着脱可能に巻回され、左右の側腹部に持ち上げ用の取っ手を一対設けた腰ベルトと、前記被介護者の膝上囲に着脱可能に巻回する一対の脚ベルトとを備え、前記腰ベルトと該一対の脚ベルトのそれぞれを前記腰ベルトの前記取っ手による持ち上げ位置に設けた一対の非伸縮性の垂れバンドによって連結するという手段を用いた。
【０００９】
上記手段では、被介護者に装着後、介護者が一対の取っ手を把持して持ち上げた際、垂れバンドがちょうど取っ手と対応する位置にあるため、持ち上げる力を確実に脚ベルトに伝達することができる。脚ベルトは被介護者の膝上囲に巻回され、大腿部によって上方へのズレが規制されるため、持ち上げる腰ベルトが上方にずれることを防止すると共に、その力の一部は被介護者の脚を上方に引き上げる方向に作用する。
【００１０】
また、本考案では、垂れバンドは、その上部を取っ手に挿通した状態で腰ベルトに取り付けるものとして、より確実に腰ベルトを持ち上げる力の一部を脚ベルトに伝達するようにした。さらに、垂れバンドは、腰ベルトに対して垂れ長を調整自在に取り付けられるようにすることで、被介護者の体型等に合わせて脚ベルトの位置を微調整可能とした。
【００１１】
また、腰ベルト及び脚ベルトは、両端部に面ファスナーを有して、巻回長を調整自在とした。被介護者の体型に柔軟に対応するためである。
【００１２】
取っ手は、左右の側腹部の中の背中寄りに設けることで、介護者は被介護者と向き合う状態で起居補助ができ、その腕が被介護者の背中側に回るため力を入れやすくなる。
【００１３】
なお、腰ベルト、脚ベルト、及び垂れバンドは、速乾性素材からなることが好ましい。入浴後、本介護用ベルトを装着したまま他所へ移乗する際の被介護者の不快感を軽減することができるからである。
【考案の効果】
【００１４】
本考案によれば、垂れバンドがちょうど腰ベルトの取っ手と対応する位置にあるため、腰ベルトを持ち上げる力が確実に脚ベルトに伝達され、介護者にとって楽に被介護者を起居させることができ、被介護者にとっても負担が小さい介護用ベルトを提供することができた。
【図面の簡単な説明】
【００１５】
【図１】本考案の一実施形態に係る介護用ベルトの（ａ）正面図、（ｂ）背面図
【図２】同、使用方法を示した説明図
【考案を実施するための形態】
【００１６】
以下、本考案の好ましい実施の形態を添付した図面に従って説明する。図１は、本考案の一実施形態に係る介護用ベルトを示したものであり、図中、１は腰ベルト、２・３は脚ベルト、４・４は垂れバンドである。
【００１７】
各要素の構成を詳述すると、最初に腰ベルト１は、被介護者の下腹囲に巻回する長さと幅を有する適当な厚さのベルト材からなり、その両端部の右手外側には雌の面ファスナー１ａを設けると共に、左手内側には雄の面ファスナー１ｂを設けて、被介護者の腰部に着脱可能に装着でき、且つ、被介護者の体型等に応じて巻回長を調整自在としている。また、腰ベルト１の左右側腹部の外側には持ち上げ用の取っ手１ｃ・１ｃを一対設けている。この取っ手１ｃ・１ｃは、両端部を腰ベルト１に縫製等して固定し、その間の浮き上がり部分を介護者が把持する部分としたものである。
【００１８】
次に、脚ベルト２・３は、右足用と左足用の一対を備え、被介護者の膝上囲に巻回する長さと幅を有する適当な厚さのベルト材からなる。また、右足用の脚ベルト２の右手外側と左足用の脚ベルト３の左手外側のそれぞれには雌の面ファスナー２ａ・３ａを設けると共に、反対側の端部の内側には雄の面ファスナー２ｂ・３ｂを設けて、被介護者の膝上に着脱可能に装着でき、且つ、被介護者の体型等に応じて巻回長を調整自在としている。
【００１９】
そして、垂れバンド４・４は、左右一対の脚ベルト２・３を腰ベルト１と連結する要素であり、非伸縮性の素材からなり、その上端部は腰ベルト１の取っ手１ｃ・１ｃ付近の外側に取り付け、下端部は脚ベルト２・３の中央外側に縫製等によって固定している。
【００２０】
この実施形態において垂れバンド４・４の上端部は、その内側に雄の面ファスナー４ａを設けると共に、腰ベルト１の外側に取っ手１ｃが跨ぐ状態で雌の面ファスナー４ｂを設けて、取っ手１ｃを挿通する状態で腰バンド１に取り付けるようにしている。また、このファスナー構成によって、垂れバンド４側の面ファスナー４ａの腰バンド１側の面ファスナー４ｂに対する上下位置を変えることで、被介護者の体型等に応じて脚ベルト２・３の上下位置を微調整できるようにしている。
【００２１】
また、本実施形態では、腰ベルト１、脚ベルト２・３、及び垂れバンド４・４を速乾性素材から成型することで、入浴後の濡れをいち早く乾かすようにして、被介護者への不快感を軽減するようにしている。
【００２２】
図２は、本介護用ベルトの使用方法を示したもので、被介護者Ｐ１の下腹囲に腰ベルト１を巻回すると共に、両脚それぞれの膝上囲には脚ベルト２・３を巻回している。こうした装着作業は、被介護者Ｐ１が椅子Ｃに座った状態で行うことができる。
【００２３】
そして、介護者Ｐ２は被介護者Ｐ１と向き合った状態で腰ベルト１の取っ手１ｃを把持して持ち上げて、被介護者Ｐ１の起居動作を補助する。このとき腰ベルト１を持ち上げる力は垂れバンド４を介して脚ベルト２・３に伝達されるが、脚ベルト２・３は被介護者Ｐ１の膝上囲に巻回され、その上の大腿部によって上方へのズレが規制されるため、腰ベルト１についても上方にずれることがない。また、腰ベルト１の取っ手１ｃに作用する被介護者Ｐ１を持ち上げる力は、当該持ち上げ位置に上端部が固定された垂れバンド４によって脚ベルト２・３に確実に伝達され、被介護者Ｐ１の両脚が浮き上がるのを軽くする。つまり、被介護者Ｐ１を腰と両脚とで支持するため、被介護者Ｐ１は楽に起居することができ、同様に、介護者Ｐ２への負担も軽減する。
【００２４】
このように本介護用ベルトによれば、被介護者Ｐ１・介護者Ｐ２とも楽に起居動作とその補助を行うことができる。同じ要領で、被介護者Ｐ１を椅子Ｃからベッドへ移乗することもできるし、歩行補助も可能である。
【符号の説明】
【００２５】
１  腰ベルト
１ｃ  取っ手
２  脚ベルト（右）
３  脚ベルト（左）
４  垂れバンド
Ｐ１  被介護者
Ｐ２  介護者
【図１】
0003216763.tif 000003
【図２】
0003216763.tif 000004